(57)【要約】【課題】直管型発光ダイオード照明灯を必要な場所に極めて簡単かつ迅速に取り付けることができ、管長または管径が異なる直管型発光ダイオード照明灯の取り付けにも容易に対応することができ、しかも極めて低コストに構成することができる直管型発光ダイオード照明灯取り付けキットを提供する。【解決手段】直管型発光ダイオード照明灯取り付けキットは、電源を内臓する片側給電の直管型発光ダイオード照明灯の両端部を挟持するための２個の挟持具１０と、２個の挟持具１０を直管型発光ダイオード照明灯の被取り付け面に固定する際にこれらの２個の挟持具１０を固定する位置を決めるための固定位置決定具３０とを有する。直管型発光ダイオード照明灯を取り付ける際には、被取り付け面に１個の挟持具１０を固定し、固定位置決定具３０を用いてもう１個の挟持具１０の取り付け位置を決めて固定する。【選択図】図１
2018026252.tif 000002
【特許請求の範囲】
【請求項１】
電源を内臓する片側給電の直管型発光ダイオード照明灯の両端部を挟持するための２個の挟持具と、
上記２個の挟持具を上記直管型発光ダイオード照明灯の被取り付け面に固定する際に上記２個の挟持具を固定する位置を決めるための固定位置決定具と、
を有する直管型発光ダイオード照明灯取り付けキット。
【請求項２】
上記直管型発光ダイオード照明灯をさらに有する請求項１記載の直管型発光ダイオード照明灯取り付けキット。
【請求項３】
コンセントに差し込むためのプラグを一端に有し、上記直管型発光ダイオード照明灯の一端に設けられた一対の電極ピンが差し込まれるコンセントを他端に有する電源コードをさらに有する請求項１または２記載の直管型発光ダイオード照明灯取り付けキット。
【請求項４】
上記２個の挟持具をねじで上記被取り付け面に固定する際に用いられる少なくとも２本のねじをさらに有する請求項１〜３のいずれか一項記載の直管型発光ダイオード照明灯取り付けキット。
【請求項５】
上記２個の挟持具は上記固定位置決定具の両端に固定されている請求項１〜４のいずれか一項記載の直管型発光ダイオード照明灯取り付けキット。
【請求項６】
上記固定位置決定具はテープまたは細長い長方形の板からなる請求項１〜５のいずれか一項記載の直管型発光ダイオード照明灯取り付けキット。
【請求項７】
上記テープまたは上記板の片面に両面テープが貼り付けられている請求項６記載の直管型発光ダイオード照明灯取り付けキット。
【請求項８】
上記テープまたは上記板を上記被取り付け面に固定する際に用いられる２個の鋲をさらに有する請求項６記載の直管型発光ダイオード照明灯取り付けキット。
【請求項９】
上記テープまたは上記板の片面は、上記直管型発光ダイオード照明灯から発する光を反射する反射面に構成されている請求項６記載の直管型発光ダイオード照明灯取り付けキット。
【請求項１０】
上記テープまたは上記板の片面に、上記直管型発光ダイオード照明灯から発する光のうちの青色光を吸収するとともに、上記直管型発光ダイオード照明灯から発する光を乱反射させる反射膜が形成されている請求項６記載の直管型発光ダイオード照明灯取り付けキット。
【発明の詳細な説明】
【技術分野】
【０００１】
この発明は、直管型発光ダイオード照明灯取り付けキットに関し、特に、電源を内蔵する片側給電の直管型発光ダイオード照明灯の取り付けに用いて好適なものである。
【背景技術】
【０００２】
直管型発光ダイオード照明灯は直管型蛍光灯の代替品として急速に普及が進んでいる。この直管型発光ダイオード照明灯は、直管型蛍光灯の取り付けに使用していた器具に取り付けて使用するのが一般的である。
【０００３】
しかしながら、直管型蛍光灯の取り付けに使用していた器具に直管型発光ダイオード照明灯を取り付ける方法では、直管型発光ダイオード照明灯を取り付ける場所の自由度はなく、照明が必要なところに簡単に直管型発光ダイオード照明灯を取り付けるといったことは困難であった。
【０００４】
特許文献１には、簡易に取り付けることができるＬＥＤ照明器具が記載されている。このＬＥＤ照明器具は、蛍光灯とほぼ同一の直径と長さを有する蒲鉾型または円筒型の透明な合成樹脂管と、その内部に挿入しうる合成樹脂板の裏側にプリント配線をし表側に３列に多数のＬＥＤ電球を取り付けた発光板と、その発光板の下方または別途に設けられた合成樹脂板の裏側にプリント配線をし表側に家庭用電源から上記のＬＥＤ電球を発光させるに必要な電流に変換する部品を取り付けた配電板と、コンセントから配電板まで家庭用電流を供給するプラグとコードとからなる。
【先行技術文献】
【特許文献】
【０００５】
【特許文献１】実用新案登録第３１６８５８２号明細書
【発明の概要】
【発明が解決しようとする課題】
【０００６】
しかしながら、特許文献１に記載されたＬＥＤ照明器具は、構造が複雑であるだけでなく、多数のＬＥＤ電球を使用するため製造コストが高く付き、合成樹脂管の直径が大きくならざるを得ないため取り付け位置に制約が生じ、さらに直管型発光ダイオード照明灯に比べると明るさの点でかなり劣るといった多くの問題があり、実用化は極めて困難と考えられる。
【０００７】
そこで、この発明が解決しようとする課題は、直管型発光ダイオード照明灯を必要な場所に極めて簡単かつ迅速に取り付けることができ、管長または管径が異なる直管型発光ダイオード照明灯の取り付けにも容易に対応することができ、しかも極めて低コストに構成することができる直管型発光ダイオード照明灯取り付けキットを提供することである。
【課題を解決するための手段】
【０００８】
上記課題を解決するために、この発明は、
電源を内臓する片側給電の直管型発光ダイオード照明灯の両端部を挟持するための２個の挟持具と、
上記２個の挟持具を上記直管型発光ダイオード照明灯の被取り付け面に固定する際に上記２個の挟持具を固定する位置を決めるための固定位置決定具と、
を有する直管型発光ダイオード照明灯取り付けキットである。
【０００９】
この直管型発光ダイオード照明灯取り付けキットにおいては、挟持具は、１本の直管型発光ダイオード照明灯の取り付け用では２個で足りるが、ｎ本（ｎは２以上の整数）の直管型発光ダイオード照明灯の取り付け用では２ｎ個含まれる必要がある。挟持具は、直管型発光ダイオード照明灯の両端部を着脱自在に挟持することができる限り、基本的にはどのようなものであってもよいが、一般的には、蛍光灯器具に取り付けられているものと同様なものを用いることができる。一方、固定位置決定具は、１本の直管型発光ダイオード照明灯の取り付け用では１個で足りるが、ｎ本の直管型発光ダイオード照明灯の取り付け用では、被取り付け面に挟持具を固定した後に取り外す場合は１個で足りるが、被取り付け面に挟持具を固定した後にそのまま残す場合はｎ個含まれる必要がある。固定位置決定具は、典型的には、直管型発光ダイオード照明灯の両端部の、２個の挟持具による挟持位置の間の距離に相当する長さを有する一種の物差しのような役割を果たすものである。これらの挟持具および固定位置決定具は、必要に応じて、予備として１個または２個以上含ませるようにしてもよい。
【００１０】
この直管型発光ダイオード照明灯取り付けキットは、典型的には、直管型発光ダイオード照明灯をさらに有する。こうすることで、この直管型発光ダイオード照明灯取り付けキットを使用して直ちに、直管型発光ダイオード照明灯を必要な場所に取り付けことができる。必要に応じて、直管型発光ダイオード照明灯取り付けキットに直管型発光ダイオード照明灯をｎ本含ませてもよく、場合によっては、管長または管径が互いに異なるｎ本の直管型発光ダイオード照明灯を含ませてもよい。固定位置決定具の長さは、取り付けようとする直管型発光ダイオード照明灯の管長に応じて決められる。固定位置決定具の長さは、必要に応じて、管長が異なる複数種類の直管型発光ダイオード照明灯の取り付けに対応することができるように、これらの複数種類の直管型発光ダイオード照明灯の管長のうち最大の管長に対応した長さを有するようにしてもよい。この場合、固定位置決定具の長さ方向の途中に、何種類かの管長の直管型発光ダイオード照明灯の挟持位置の間の距離に相当する長さの所にマークを付けてもよい。こうすることで、このマークを使って異なる管長の直管型発光ダイオード照明灯の両端部の挟持位置に対応した位置に挟持具を固定することが可能となる。
【００１１】
この直管型発光ダイオード照明灯取り付けキットは、必要に応じて、コンセントに差し込むためのプラグを一端に有し、直管型発光ダイオード照明灯の一端に設けられた一対の電極ピンが差し込まれるコンセントを他端に有する電源コードをさらに有する。この電源コードの長さは必要に応じて選ばれる。この電源コードを用いることにより、直管型発光ダイオード照明灯を挟持具および固定位置決定具を用いて被取り付け面、例えば室内の壁面に取り付けた後、この直管型発光ダイオード照明灯の給電側の一端の電極ピンにこの電源コードの一端のコンセントを接続し、他端のプラグを必要に応じて延長コードを介して例えば室内の壁面に設けられたコンセントに差し込むことで直管型発光ダイオード照明灯を使用することができる。あるいは、直管型発光ダイオード照明灯を屋外、例えば建築現場、催事場、屋台などで使用する場合には、持ち運び可能な電源に設けられたコンセントにプラグを差し込んで使用してもよい。
【００１２】
２個の挟持具を被取り付け面に固定する方法は、直管型発光ダイオード照明灯を取り付ける際に加わる力に耐えられる強度で挟持具を固定することができる限り、基本的にはどのようなものであってもよいが、典型的には、被取り付け面にねじ留めすることにより挟持具を固定する。挟持具のねじ留めは一般的には１箇所で足りるが、必要に応じて２箇所以上でねじ留めしてもよい。この場合、直管型発光ダイオード照明灯取り付けキットは、必要に応じて、この挟持具を被取り付け面に固定する際に用いられる少なくとも２本のねじをさらに有するようにしてもよい。ねじは、挟持具の数が２ｎ個である場合には少なくとも２ｎ個含まれる必要がある。ねじは、必要に応じて、予備として１個または２個以上含ませるようにしてもよい。
【００１３】
２個の挟持具は、固定位置決定具とは別体に作って直管型発光ダイオード照明灯取り付けキットに含ませてもよいし、固定位置決定具の両端に固定して固定位置決定具と一体になった形で直管型発光ダイオード照明灯取り付けキットに含ませてもよい。後者の場合には、例えば、被取り付け面に１個の挟持具を固定し、もう１個の挟持具を手で持って固定位置決定具を直管型発光ダイオード照明灯の取り付け方向に伸ばし、最初に固定した挟持具に対向するようにもう１個の挟持具を取り付け面に固定することができる。
【００１４】
固定位置決定具は、被取り付け面に挟持具を固定した後に取り外してもよいし、そのまま残しておいてもよい。固定位置決定具の形状、サイズ、材質などは特に限定されず、必要に応じて選ばれる。また、固定位置決定具を被取り付け面に固定する方法は従来公知の方法を用いることができ、必要に応じて選ばれる。固定位置決定具は、典型的には、テープまたは長方形の板からなる。固定位置決定具をテープにより構成することで巻くことができるため、直管型発光ダイオード照明灯取り付けキットに占める固定位置決定具の面積を大幅に縮小することができる。必要に応じて、このテープまたは板の片面に両面テープを貼り付けておき、固定位置決定具を被取り付け面に取り付ける際にこの両面テープの表面の剥離紙を剥がして粘着面を露出させ、テープまたは板を被取り付け面に貼り付けるようにしてもよい。あるいは、被取り付け面に対するテープまたは板の取り付けは、画鋲などの鋲をテープまたは板を貫いて被取り付け面に刺すことにより行ってもよい。こうすることで、被取り付け面からテープまたは板を取り外す必要があるときに、容易に取り外すことができる。この鋲は必要に応じて、直管型発光ダイオード照明灯取り付けキットに含ませてもよく、一つのテープまたは板当たり少なくとも２個含ませる。このテープまたは板を用いて被取り付け面に挟持具を固定した後、このテープまたは板をそのまま残しておく場合には、このテープまたは板の片面、具体的には、直管型発光ダイオード照明灯が挟持具に取り付けられたときにこの直管型発光ダイオード照明灯と対向する側の片面を直管型発光ダイオード照明灯から発する光を反射する反射面に構成してもよい。こうすることで、このテープまたは板が反射板となって直管型発光ダイオード照明灯から後方に発する光を前方に反射して照明に利用することができるようになる。あるいは、このテープまたは板の片面に、直管型発光ダイオード照明灯から発する光のうちの青色光を吸収するとともに、この直管型発光ダイオード照明灯から発する光を乱反射させる反射膜を形成してもよい。このような反射膜としては、超微細発泡ポリエチレンテレフタレートシート（古河電気工業株式会社製）が市販されている。この超微細発泡ポリエチレンテレフタレートシートを反射膜として用いることにより、反射光を照明に利用することができ、より明るい照明を得ることができるとともに、照明光の眩しさの低減を図ることができる。
【発明の効果】
【００１５】
この発明によれば、直管型発光ダイオード照明灯取り付けキットに含まれる２個の挟持具と固定位置決定具とを用いて直管型発光ダイオード照明灯の取り付けに必要な位置に２個の挟持具を容易に固定することができ、こうして固定された２個の挟持具を用いて直管型発光ダイオード照明灯を極めて簡単かつ迅速に取り付けることができる。この場合、２個の挟持具を互いに対向して固定することができるスペースを確保することができれば足りるため、直管型発光ダイオード照明灯を取り付ける場所は特に限定されず、住宅の室内の壁面は勿論、屋外の建築現場、催事場、屋台など、照明が必要な場所に直管型発光ダイオード照明灯を取り付けることができる。また、挟持具および固定位置決定具は安価に製造することができるため、直管型発光ダイオード照明灯取り付けキットを極めて低コストに構成することができる。さらに、管長または管径が異なる直管型発光ダイオード照明灯の取り付けにも容易に対応することができる。
【図面の簡単な説明】
【００１６】
【図１】第１の実施の形態による直管型発光ダイオード照明灯取り付けキットを示す斜視図である。
【図２】第１の実施の形態による直管型発光ダイオード照明灯取り付けキットを用いて取り付けようとする直管型発光ダイオード照明灯を示す正面図である。
【図３】第１の実施の形態による直管型発光ダイオード照明灯取り付けキットの使用方法を説明するための正面図である。
【図４】第１の実施の形態による直管型発光ダイオード照明灯取り付けキットを用いて直管型発光ダイオード照明灯を取り付けた後に片側給電を行うのに用いられる電源コードを示す斜視図である。
【図５】第２の実施の形態による直管型発光ダイオード照明灯取り付けキットを示す斜視図である。
【図６】第２の実施の形態による直管型発光ダイオード照明灯取り付けキットの使用方法を説明するための正面図である。
【図７】第３の実施の形態による直管型発光ダイオード照明灯取り付けキットを示す斜視図である。
【図８】第４の実施の形態による直管型発光ダイオード照明灯取り付けキットを示す斜視図である。
【図９】第５の実施の形態による直管型発光ダイオード照明灯取り付けキットを示す斜視図である。
【図１０】第６の実施の形態による直管型発光ダイオード照明灯取り付けキットを示す斜視図である。
【図１１】第７の実施の形態による直管型発光ダイオード照明灯取り付けキットに含まれる固定位置決定具を示す斜視図である。
【図１２】第７の実施の形態による直管型発光ダイオード照明灯取り付けキットに含まれる固定位置決定具を被取り付け面に貼り付けて反射板として用いる方法を説明するための略線図である。
【発明を実施するための形態】
【００１７】
以下、発明を実施するための形態（以下「実施の形態」とする）について説明する。
【００１８】
〈第１の実施の形態〉
［直管型発光ダイオード照明灯取り付けキット］
図１は第１の実施の形態による直管型発光ダイオード照明灯取り付けキットを示す。この直管型発光ダイオード照明灯取り付けキットは、図２に示すような、電源を内蔵する片側給電の直管型発光ダイオード照明灯１００を被取り付け面に取り付けるためのものである。図２に示すように、この直管型発光ダイオード照明灯１００は、多数の発光ダイオードが搭載された基板など（図示せず）を内蔵する直管部１１０の両端にソケット１２０、１３０が取り付けられている。ソケット１２０の一端には２本の電源ピン１２１、１２２が設けられており、ソケット１３０の一端には２本の電源ピン１３１、１３２が設けられている。これらのソケット１２０、１３０の一方、例えばソケット１２０の内部に、上記の発光ダイオードが搭載された基板に給電を行う所定の電源（図示せず）が内蔵されている。この電源は、ソケット１２０の内部で２本の電源ピン１２１、１２２と接続されている。
【００１９】
図１に示すように、この直管型発光ダイオード照明灯取り付けキットは、図２に示す直管型発光ダイオード照明灯１００の両端部のソケット１２０、１３０を挟持するための２個の挟持具１０と、これらの挟持具１０を被取り付け面にねじ留めにより固定する際に用いる２本のねじ２０と、これらの挟持具１０を被取り付け面に固定する際にこれらの挟持具１０を直管型発光ダイオード照明灯１００のソケット１２０、１３０を挟持する位置に合わせるのに用いるフレキシブルなテープからなる固定位置決定具３０とを有する。
【００２０】
挟持具１０は、従来より蛍光灯の取り付け器具に取り付けられているものと同様なものであり、例えば、弾性を有する細長い金属板またはプラスチック板からなる。挟持具１０は、平坦な固定部１１とこの固定部１１の両端部からこの固定部１１に垂直に折れ曲がった中間部１２、１３とこれらの中間部１２、１３からそれぞれ外側に凸に円弧状に湾曲した挟持部１４、１５とこれらの挟持部１４、１５の先端に逆方向に折れ曲がった折れ曲がり部１６、１７とからなる。固定部１１の中心には固定用のねじ２０を通す穴１１ａが設けられている。挟持具１０、２０の幅は必要に応じて選ばれるが、例えば４ｍｍ以上１０ｍｍ以下、例えば７．５ｍｍである。
【００２１】
ねじ２０は、特に限定されないが、例えば、クロムメッキの鉄鋼製ねじ、ステンレス鋼製ねじなどであり、一般的には木ねじである。
【００２２】
固定位置決定具３０は、例えば、ポリエステルなどの化学繊維を織り込んだ布製のテープ、薄いプラスチックテープ、紙テープなどである。この固定位置決定具３０の長さは、直管型発光ダイオード照明灯１００の両端部のソケット１２０、１３０の挟持位置（例えば、直管型発光ダイオード照明灯１００の両端から１０〜１５ｍｍの位置）の間の距離に相当する長さである。
【００２３】
［直管型発光ダイオード照明灯取り付けキットの使用方法］
図３Ａに示すように、まず、被取り付け面上に直管型発光ダイオード照明灯１００を取り付ける位置の目安となる細長い長方形のエリア２００を決める。被取り付け面は、例えば、戸建て住宅、マンションなどの部屋の壁面、建築現場に確保した照明取り付け板、屋台の側板あるいは天井などである。次に、エリア２００の長手方向の一端部にエリア２００の長辺に対して垂直になるように挟持具１０の固定部１１を当て、この固定部１１の穴１１ａを通して被取り付け面にねじ２０をねじ込み、挟持具１０を固定する。
【００２４】
次に、図３Ｂに示すように、固定位置決定具３０の一端を挟持具１０の固定部１１の内側の端面に当て、あるいはその端面の近傍に位置させ、その位置で固定位置決定具３０の一端部を画鋲４０で留める。次に、固定位置決定具３０をエリア２００の長手方向に十分に伸ばす。
【００２５】
図３Ｃに示すように、固定位置決定具３０をエリア２００の長手方向に十分に伸ばした後、この固定位置決定具３０の他端部をもう１個の画鋲４０で留める。なお、必要に応じて、直管型発光ダイオード照明灯取り付けキットに２個の画鋲４０を含ませてもよい。次に、固定位置決定具３０の他端部に接触し、あるいはその他端部の近傍に位置し、かつエリア２００の長辺に対して垂直になるようにもう１個の挟持具１０の固定部１１を被取り付け面に当て、この固定部１１の穴１１ａを通して被取り付け面にねじ２０をねじ込み、この挟持具１０を固定する。こうして、固定位置決定具３０の長さだけ離れた位置に２個の挟持具１０が互いに平行に対向して固定される。
【００２６】
次に、図３Ｄに示すように、図２に示す直管型発光ダイオード照明灯１００のソケット１２０、１３０を左右の挟持具１０に上から押し付ける。このとき、挟持具１０は弾性を有するため、直管型発光ダイオード照明灯１００はまず、挟持具１０の最上部の折れ曲がり部１６、１７に当たることにより挟持具１０を押し広げ、折れ曲がり部１６、１７の間を通って、押し広げられた湾曲部１４、１５の間に収まり、これらの湾曲部１４、１５により挟持される。こうして、直管型発光ダイオード照明灯１００が取り付けられる。
【００２７】
この後、図３Ｅに示すように、電源コード３００を用いて直管型発光ダイオード照明灯１００を例えば住宅の室内の壁面、住宅の外壁面、屋外の電源などに設けられたコンセントに接続する。図４に示すように、電源コード３００は、コード３１０の一端にプラグ３２０を取り付け、他端に二つの穴３３１、３３２を有するコンセント３３０を取り付けたものである。図３Ｅに示すように、電源コード３００のコンセント３３０の穴３３１、３３２を直管型発光ダイオード照明灯１００の電源ピン１２１、１２２に嵌め、プラグ３２０を住宅の室内の壁面などに設けられたコンセントに差し込む。
【００２８】
以上のように、第１の実施の形態によれば、直管型発光ダイオード照明灯取り付けキットに含まれる２個の挟持具１０と固定位置決定具３０とを用いて直管型発光ダイオード照明灯１００の取り付けに必要な位置に２個の挟持具１０を容易に固定することができる。そして、こうして固定された２個の挟持具１０を用いて直管型発光ダイオード照明灯１００を極めて簡単かつ迅速に取り付けることができる。この場合、２個の挟持具１０を互いに対向して固定することができるスペースを確保することができれば足りるため、直管型発光ダイオード照明灯１００を取り付ける場所は特に限定されず、住宅の室内の壁面は勿論、屋外の建築現場、催事場、屋台など、照明が必要な場所に直管型発光ダイオード照明灯１００を取り付けることができる。また、直管型発光ダイオード照明灯１００の設置が不要となった場合には、挟持具１０から直管型発光ダイオード照明灯１００を取り外し、挟持具１０、場合によってはさらに固定位置決定具３０を取り外すだけでよいので、設置場所を簡単に元の状態に戻すことができる。また、挟持具１０および固定位置決定具３０は安価に製造することができるため、直管型発光ダイオード照明灯取り付けキットを極めて低コストに構成することができる。さらに、直管型発光ダイオード照明灯の管長または管径が異なっても挟持具１０および固定位置決定具３０をそれに合わせて作製することは極めて簡単であるため、管長または管径が異なる直管型発光ダイオード照明灯１００の取り付けにも容易に対応することができる。
【００２９】
〈第２の実施の形態〉
［直管型発光ダイオード照明灯取り付けキット］
第２の実施の形態による直管型発光ダイオード照明灯取り付けキットについて説明する。図５に示すように、この直管型発光ダイオード照明灯取り付けキットは、２個の挟持具１０が固定位置決定具３０の両端に固定されていて互いに一体に構成されていることが、第１の実施の形態による直管型発光ダイオード照明灯取り付けキットと異なる。その他のことは第１の実施の形態による直管型発光ダイオード照明灯取り付けキットと同様である。
【００３０】
［直管型発光ダイオード照明灯取り付けキットの使用方法］
図６Ａに示すように、まず、被取り付け面上に直管型発光ダイオード照明灯１００を取り付ける位置の目安となる細長い長方形のエリア２００を決める。次に、エリア２００の長手方向の一端部にエリア２００の長辺に対して垂直になるように、固定位置決定具３０の一端に固定された挟持具１０の固定部１１を被取り付け面に当て、この固定部１１の穴１１ａを通して被取り付け面にねじ２０をねじ込み、挟持具１０を固定する。
【００３１】
次に、図６Ｂに示すように、固定位置決定具３０の他端に固定された挟持具１０を手で持って固定位置決定具３０をエリア２００の長手方向に十分に伸ばし、その位置で固定位置決定具３０の他端に固定された挟持具１０の固定部１１を被取り付け面に当て、この固定部１１の穴１１ａを通して被取り付け面にねじ２０をねじ込み、この挟持具１０を固定する。
【００３２】
次に、第１の実施の形態と同様にして、図６Ｃに示すように、直管型発光ダイオード照明灯１００のソケット１２０、１３０を挟持具１０に押し込むことにより直管型発光ダイオード照明灯１００を取り付ける。この後、第１の実施の形態と同様にして、電源コード３００のコンセント３３０の穴３３１、３３２を直管型発光ダイオード照明灯１００の電源ピン１２１、１２２に嵌め、電源コード３００のプラグ３２０を部屋などのコンセントに差し込む。
【００３３】
この第２の実施の形態によれば、第１の実施の形態と同様な利点を得ることができることに加えて、２個の挟持具１０が固定位置決定具３０の両端に固定されていることにより取り付け面への挟持具１０の取り付けをより簡単かつ迅速に行うことができるという利点を得ることができる。
【００３４】
〈第３の実施の形態〉
［直管型発光ダイオード照明灯取り付けキット］
第３の実施の形態による直管型発光ダイオード照明灯取り付けキットについて説明する。図７に示すように、この直管型発光ダイオード照明灯取り付けキットは、２個の挟持具１０、２本のねじ２０および固定位置決定具３０に加えて、直管型発光ダイオード照明灯１００を有することが、第１の実施の形態による直管型発光ダイオード照明灯取り付けキットと異なる。その他のことは第１の実施の形態と同様である。
【００３５】
［直管型発光ダイオード照明灯取り付けキットの使用方法］
この直管型発光ダイオード照明灯取り付けキットの使用方法は第１の実施の形態と同様であるので、説明を省略する。
【００３６】
この第３の実施の形態によれば、第１の実施の形態と同様な利点を得ることができることに加えて、直管型発光ダイオード照明灯取り付けキットに直管型発光ダイオード照明灯１００も含まれていることにより、この直管型発光ダイオード照明灯取り付けキットを用いるだけで必要な場所に直ちに直管型発光ダイオード照明灯１００を取り付けることができるという利点を得ることができる。
【００３７】
〈第４の実施の形態〉
［直管型発光ダイオード照明灯取り付けキット］
第４の実施の形態による直管型発光ダイオード照明灯取り付けキットについて説明する。図８に示すように、この直管型発光ダイオード照明灯取り付けキットは、固定位置決定具３０の両端に挟持具１０が固定されたもの、２本のねじ２０および固定位置決定具３０に加えて、直管型発光ダイオード照明灯１００を有することが、第２の実施の形態による直管型発光ダイオード照明灯取り付けキットと異なる。その他のことは第２の実施の形態と同様である。
【００３８】
［直管型発光ダイオード照明灯取り付けキットの使用方法］
この直管型発光ダイオード照明灯取り付けキットの使用方法は第２の実施の形態と同様であるので、説明を省略する。
【００３９】
この第４の実施の形態によれば、第２の実施の形態と同様な利点を得ることができることに加えて、直管型発光ダイオード照明灯取り付けキットに直管型発光ダイオード照明灯１００も含まれていることにより、この直管型発光ダイオード照明灯取り付けキットを用いるだけで必要な場所に直ちに直管型発光ダイオード照明灯１００を取り付けることができるという利点を得ることができる。
【００４０】
〈第５の実施の形態〉
［直管型発光ダイオード照明灯取り付けキット］
第５の実施の形態による直管型発光ダイオード照明灯取り付けキットについて説明する。図９に示すように、この直管型発光ダイオード照明灯取り付けキットは、２個の挟持具１０、２本のねじ２０、固定位置決定具３０および直管型発光ダイオード照明灯１００に加えて、図４に示す電源コード３００を有することが、第３の実施の形態による直管型発光ダイオード照明灯取り付けキットと異なる。その他のことは第３の実施の形態と同様である。
【００４１】
［直管型発光ダイオード照明灯取り付けキットの使用方法］
この直管型発光ダイオード照明灯取り付けキットの使用方法は第１の実施の形態と同様であるので、説明を省略する。
【００４２】
この第５の実施の形態によれば、第３の実施の形態と同様な利点を得ることができることに加えて、直管型発光ダイオード照明灯取り付けキットに電源コード３００も含まれていることにより、この直管型発光ダイオード照明灯取り付けキットを用いるだけで必要な場所に直ちに直管型発光ダイオード照明灯１００を取り付けて使用することができるという利点を得ることができる。
【００４３】
〈第６の実施の形態〉
［直管型発光ダイオード照明灯取り付けキット］
第６の実施の形態による直管型発光ダイオード照明灯取り付けキットについて説明する。図１０に示すように、この直管型発光ダイオード照明灯取り付けキットは、固定位置決定具３０の両端に挟持具１０が固定されたもの、２本のねじ２０、固定位置決定具３０および直管型発光ダイオード照明灯１００に加えて、図４に示す電源コード３００を有することが、第４の実施の形態による直管型発光ダイオード照明灯取り付けキットと異なる。その他のことは第４の実施の形態と同様である。
【００４４】
［直管型発光ダイオード照明灯取り付けキットの使用方法］
この直管型発光ダイオード照明灯取り付けキットの使用方法は第２の実施の形態と同様であるので、説明を省略する。
【００４５】
この第６の実施の形態によれば、第４の実施の形態と同様な利点を得ることができることに加えて、直管型発光ダイオード照明灯取り付けキットに電源コード３００も含まれていることにより、この直管型発光ダイオード照明灯取り付けキットを用いるだけで必要な場所に直ちに直管型発光ダイオード照明灯１００を取り付けて使用することができるという利点を得ることができる。
【００４６】
〈第７の実施の形態〉
［直管型発光ダイオード照明灯取り付けキット］
第７の実施の形態による直管型発光ダイオード照明灯取り付けキットについて説明する。図１１に示すように、この直管型発光ダイオード照明灯取り付けキットにおいては、固定位置決定具３０の片面に反射膜３１が設けられていることが、第１の実施の形態による直管型発光ダイオード照明灯取り付けキットと異なる。反射膜３１は、直管型発光ダイオード照明灯１００から発する光を反射することができる材料、好適にはアルミニウムからなる。あるいは、反射膜３１として超微細発泡ポリエチレンテレフタレートシートを用いてもよい。固定位置決定具３０を被取り付け面に取り付ける際には、反射膜３１が外側になるようにする。その他のことは第１の実施の形態と同様である。
【００４７】
［直管型発光ダイオード照明灯取り付けキットの使用方法］
この直管型発光ダイオード照明灯取り付けキットの使用方法は第１の実施の形態と同様であるので、説明を省略する。
【００４８】
この第７の実施の形態によれば、第１の実施の形態と同様な利点を得ることができることに加えて、次のような利点を得ることができる。すなわち、図１２に示すように、被取り付け面に固定位置決定具３０を反射膜３１が外側になるように取り付けると、直管型発光ダイオード照明灯１００から発する光のうち後方の反射膜３１に向かう光はこの反射膜３１で反射されることにより、前方に向かう光が多くなる。このため、直管型発光ダイオード照明灯１００から発する光を有効利用することができ、より明るい照明を得ることができる。あるいは、反射膜３１として超微細発泡ポリエチレンテレフタレートシートを用いることにより、直管型発光ダイオード照明灯１００から発する光のうちの青色光を吸収することができるとともに、直管型発光ダイオード照明灯１００から発する光を乱反射させることができるため、直管型発光ダイオード照明灯１００から発する光を有効利用することができ、より明るい照明を得ることができるとともに、照明光の眩しさの低減を図ることができる。
【００４９】
以上、この発明の実施の形態について具体的に説明したが、この発明は上述の実施の形態に限定されるものではなく、この発明の技術的思想に基づく各種の変形が可能である。
【００５０】
例えば、上述の実施の形態において挙げた数値、構成、形状、材料、方法などはあくまでも例に過ぎず、必要に応じてこれらと異なる数値、構成、形状、材料、方法などを用いてもよい。
【符号の説明】
【００５１】
１０…挟持具、２０…ねじ、３０…固定位置決定具、３１…反射膜、４０…画鋲、１００…直管型発光ダイオード照明灯、１１０…直管部、１２０、１３０…ソケット、１２１、１２２、１３１、１３２…電源ピン、３００…電源コード、３１０…コード、３２０…プラグ、３３０…コンセント
【図１】
2018026252.tif 000003
【図２】
2018026252.tif 000004
【図３】
2018026252.tif 000005
【図４】
2018026252.tif 000006
【図５】
2018026252.tif 000007
【図６】
2018026252.tif 000008
【図７】
2018026252.tif 000009
【図８】
2018026252.tif 000010
【図９】
2018026252.tif 000011
【図１０】
2018026252.tif 000012
【図１１】
2018026252.tif 000013
【図１２】
2018026252.tif 000014